(57)【特許請求の範囲】
【請求項１】
それぞれ、回路基板上に構成され、無線通信回線から受信された電気的な信号を、光学的な信号に変換し、前記回路基板に設けられた１つ以上の出力部を介して、前記回路基板の外部に対して出力する複数の無線信号受信手段と、
それぞれ、回路基板上に構成され、光学的な信号を、前記回路基板に設けられた１つ以上の入力部を介して、前記回路基板の外部から受け入れて、電気的な信号に変換して処理する複数の受信信号処理手段と、
前記無線信号受信手段それぞれから出力された光学的な信号を、前記受信信号処理手段それぞれに対して伝送する１つ以上の光学伝送手段と
を有する無線通信装置であって、
前記光学伝送手段それぞれには、前記出力部および前記入力部が対向して配置され、
それぞれ、前記出力部それぞれから出力された光学的な信号を受け入れて反射し、前記光学伝送手段の内部に導く複数の第１の反射手段と、
それぞれ、前記光学伝送手段の内部に導かれた光学的な信号を、前記光学伝送手段の内部に反射して拡散させる１つ以上の第２の反射手段と、
それぞれ、前記拡散された光学的な信号を反射し、前記入力部それぞれに対して出力する複数の第３の反射手段と
を有する無線通信装置。
【請求項２】
前記無線信号受信手段それぞれは、前記電気的な信号を、１つ以上の光学的な信号に変換して、前記出力部を介して出力し、
前記受信信号処理手段それぞれは、前記入力部からの１つ以上の光学的な信号を、前記電気的な信号に変換する
請求項１に記載の無線通信装置。
【請求項３】
それぞれ、回路基板上に構成され、無線通信回線に送信しようとする電気的な信号を処理して、光学的な信号に変換し、前記回路基板に設けられた１つ以上の出力部を介して、前記回路基板の外部に対して出力する複数の送信信号処理手段と、
それぞれ、回路基板上に構成され、光学的な信号を、前記回路基板に設けられた１つ以上の入力部を介して、前記回路基板の外部から受け入れて、電気的な信号に変換して、無線通信回線に対して送信する複数の無線信号送信手段と、
をさらに有する無線通信装置であって、
前記光学伝送手段それぞれには、前記送信信号処理手段が設けられた回路基板の出力部および前記無線信号送信手段が設けられた回路基板の入力部が、対向して配置され、
それぞれ、前記送信信号処理手段の出力部それぞれから出力された光学的な信号を受け入れて反射し、前記光学的伝送手段の内部に導く複数の第４の反射手段と、
それぞれ、前記拡散された光学的な信号を反射し、前記無線信号送信手段の入力部それぞれに対して出力する複数の第５の反射手段と
をさらに有する
請求項１または２に記載の無線通信装置。
【請求項４】
前記送信信号処理手段それぞれは、前記電気的な信号を、１つ以上の光学的な信号に変換して、前記出力部を介して出力し、
前記無線信号送信手段それぞれは、前記入力部からの１つ以上の光学的な信号を、前記電気的な信号に変換する
請求項３に記載の無線通信装置。
【請求項５】
前記複数の受信信号処理手段それぞれと、前記複数の送信信号処理手段それぞれとは、一体に構成され、
前記複数の第３の反射手段それぞれと、前記複数の第４の反射手段それぞれとは、一体に構成され、前記第２の反射手段からの光学的な信号を、前記受信信号処理手段が設けられた回路基板の入力部それぞれに導き、前記送信信号処理手段が設けられた回路基板の出力部それぞれからの光学的な信号を、前記第２の反射手段に導く
請求項３または４に記載の無線通信装置。
【請求項６】
前記複数の無線信号受信手段それぞれと、前記複数の無線信号送信手段それぞれとは、一体に構成され、
前記複数の第１の反射手段それぞれと、前記複数の第５の反射手段それぞれとは、一体に構成され、前記無線信号受信手段が設けられた回路基板の出力部それぞれからの光学的信号を、前記第２の反射手段に導き、前記第２の反射手段からの前記光学的な信号を、前記無線信号送信手段が設けられた回路基板の入力部それぞれに導く
請求項３〜５のいずれかに記載の無線通信装置。
【請求項７】
それぞれ、回路基板上に構成され、信号を処理して光学的な信号に変換し、前記回路基板に設けられた１つ以上の出力部を介して、前記回路基板の外部に対して出力する複数の第１の信号処理手段と、
それぞれ、回路基板上に構成され、光学的な信号を、前記回路基板に設けられた１つ以上の入力部を介して、前記回路基板の外部から受け入れて、電気的な信号に変換して処理する第２の信号処理手段と、
前記複数の第１の信号処理手段それぞれと、前記複数の第２の信号処理手段それぞれとの間で、光学的な信号を、ノンブロックで伝送する１つ以上の光学伝送手段と
を有する信号処理装置であって、
前記光学伝送手段それぞれには、前記第１の信号処理手段が設けられた出力部および前記第２の信号処理手段が設けられた回路基板の入力部が、対向して配置され、
それぞれ、前記複数の第１の信号処理手段それぞれの出力部から出力された光学的な信号を受け入れて反射し、前記光学伝送手段の内部に導く複数の第１の反射手段と、
それぞれ、前記光学伝送手段の内部に導かれた光学的な信号を、前記光学伝送手段の内部に反射して拡散させる１つ以上の第２の反射手段と、
それぞれ、前記拡散された光学的な信号を反射し、前記複数の第２の信号処理手段それぞれの入力部に対して出力する複数の第３の反射手段と
を有する無線通信装置。
【発明の詳細な説明】
【０００１】
【発明の属する技術分野】
本発明は、移動体通信システムの基地局などとして用いられる無線通信装置に関する。
【０００２】
【従来の技術】
携帯電話などの移動体通信システムにおいては、多数の基地局および交換局がネットワークを介して接続され、基地局は、無線通信回線を介して移動局（携帯電話）との間で信号を送信および受信する。
このような基地局は、例えば「特開２０００−３６９８２号公報」、「特開２０００−２２６２６号公報」および「特開２００１−１６１５９号公報」に開示されているように、それぞれ無線回線を介して信号を送信・受信する多数の送受信装置と、送受信装置とネットワークとの間で信号を処理する多数の信号処理装置とが、ノンブロックな状態で相互に接続されて構成される。
【０００３】
例えば、８つの送受信装置と８つの信号処理装置とを、伝送路としてメタリック・ペアケーブルを用いて相互に直接、接続しようとすると、８つの送受信装置それぞれと８つの信号処理装置それぞれとの間で双方向に信号を伝送する必要があるので、合計、１２８組（８×８×２）のペアケーブルが必要になる。
さらに、送受信装置と信号処理装置との間に複数の伝送路を用いて高速に信号を伝送しようとすると、さらに多くのペアケーブルが必要になる。
【０００４】
このように送受信装置と信号処理装置との間の接続には多くの配線が必要であり、配線量に従って、送受信装置・信号処理装置の基板を筐体に接続するためのコネクタのピン数が増加してしまう。
これは、基板のピンネックの問題だけではなく、基板を挿抜する際に、非常に大きな力（数十ｋｇ）が必要になるという問題を生じさせる。
また、送受信装置と信号処理基板とを、バックパネルを介して接続しようとすると、バックパネルの配線が非常に複雑になり、しかも、非常に多くの層（十数層）を重ねなければならない。
【０００５】
【発明が解決しようとする課題】
本発明は、上述した従来技術の問題点に鑑みてなされたものであり、移動体通信システムの基地局において、信号処理を行う装置と無線信号の送信・受信を行う装置との間の配線の数を少なくすることができる無線通信装置を提供することを目的とする。
また、本発明は、動体通信システムの基地局において、信号処理装置と無線送信・受信装置との間を接続するバックパネルの配線の数と厚さを減らした無線通信装置を提供することを目的とする。
また、本発明は、動体通信システムの基地局において、信号処理装置および無線信号送信・受信装置をバックパネルに固定するコネクタのピンネックを解消し、挿抜に要する力を減らした無線通信装置を提供することを目的とする。
【０００６】
【課題を解決するための手段】
［第１の無線通信装置］
上記目的を達成するために、本発明にかかる第１の無線通信装置は、それぞれ無線通信回線から信号を受信する複数の無線信号受信手段と、それぞれ前記受信された信号を処理する複数の受信信号処理手段と、前記複数の無線信号受信手段それぞれから、前記複数の受信信号処理手段それぞれに対して、前記受信された信号を光学的に伝送する光学伝送手段とを有する。
【０００７】
好適には、前記複数の無線信号受信手段それぞれは、前記受信された信号を、１つ以上の光学的な信号に変換する第１の信号変換手段を有し、前記光学伝送手段は、それぞれ、前記複数の無線信号受信手段と前記複数の受信信号処理手段とをバス結合し、前記複数の無線信号受信手段それぞれから、前記複数の受信信号処理手段それぞれに対して前記１つ以上の光学的な信号それぞれを導く１つ以上の光バスと、それぞれ、前記複数の無線信号受信手段それぞれから、前記１つ以上の光学的な信号それぞれを前記１つ以上の光バスそれぞれに導く１つ以上の第１の導光手段と、それぞれ、前記１つ以上の光バスそれぞれから、前記複数の受信信号処理手段それぞれに対して、前記１つ以上の光学的な信号それぞれを導く１つ以上の第２の導光手段とを有し、前記複数の受信信号処理手段それぞれは、前記導かれた１つ以上の光学的な信号を、前記受信された信号に変換する第２の信号変換手段を有する。
【０００８】
好適には、前記光バスは、１つ以上の第１の導光手段それぞれからの光学的な信号それぞれを拡散して、１つ以上の第２の導光手段それぞれに導く光学信号拡散手段を有する。
【０００９】
好適には、前記１つ以上の第１の導光手段それぞれは、前記複数の無線信号受信手段それぞれからの前記１つ以上の光学的な信号それぞれを反射して前記光バスに導く。
【００１０】
好適には、前記１つ以上の第２の導光手段それぞれは、前記１つ以上の光バスそれぞれにより導かれた前記１つ以上の光学的な信号それぞれを反射して、前記複数の受信信号処理手段それぞれに導く。
【００１１】
好適には、前記１つ以上の第１の導光手段それぞれは、前記複数の無線信号受信手段それぞれからの前記１つ以上の光学的な信号それぞれを導く光ファイバである。
【００１２】
前記１つ以上の第２の導光手段それぞれは、前記１つ以上の光バスそれぞれにより導かれた前記１つ以上の光学的な信号を、前記複数の受信信号処理手段それぞれに導く光ファイバである。
【００１３】
［第２の無線通信装置］
また、本発明にかかる第２の無線通信装置は、それぞれ送信しようとする信号を処理する複数の送信信号処理手段と、それぞれ無線通信回線に対して前記処理された信号を送信する複数の無線信号送信手段と、前記複数の送信信号処理手段それぞれから、前記複数の無線信号送信手段それぞれに対して、前記処理された信号を光学的に伝送する光学伝送手段とを有する。
【００１４】
好適には、前記複数の送信信号処理手段それぞれは、前記処理された信号を、１つ以上の光学的な信号に変換する第３の信号変換手段を有し、前記光学伝送手段は、それぞれ、前記複数の送信信号処理手段と前記複数の無線信号送信手段とをバス結合し、前記複数の送信信号処理手段それぞれから、前記複数の無線信号送信手段それぞれに対して前記１つ以上の光学的な信号それぞれを導く１つ以上の光バスと、それぞれ、前記複数の送信信号処理手段それぞれから、前記１つ以上の光学的な信号それぞれを前記１つ以上の光バスそれぞれに導く１つ以上の第３の導光手段と、それぞれ、前記１つ以上の光バスそれぞれから、前記複数の無線信号送信手段それぞれに対して、前記１つ以上の光学的な信号それぞれを導く１つ以上の第４の導光手段とを有し、前記複数の無線信号送信手段それぞれは、前記１つ以上の光学的な信号を、前記処理された信号に変換する第４の信号変換手段を有する。
【００１５】
好適には、前記光バスは、１つ以上の第３の導光手段それぞれからの光学的な信号それぞれを拡散して、１つ以上の第４の導光手段それぞれに導く光学信号拡散手段を有する。
【００１６】
好適には、前記１つ以上の第３の導光手段それぞれは、前記複数の送信信号処理手段それぞれからの前記１つ以上の光学的な信号を反射して、前記１つ以上の光バスそれぞれに導く。
【００１７】
好適には、前記１つ以上の第４の導光手段それぞれは、前記１つ以上の光バスそれぞれにより導かれた前記１つ以上の光学的な信号それぞれを反射して、前記複数の無線信号送信手段それぞれに導く。
【００１８】
好適には、前記１つ以上の第３の導光手段それぞれは、前記複数の送信信号処理手段それぞれからの前記１つ以上の光学的な信号それぞれを導く光ファイバである。
【００１９】
好適には、前記１つ以上の第４の導光手段それぞれは、前記１つ以上の光バスにより導かれた前記１つ以上の光学的な信号それぞれを前記複数の無線信号送信手段それぞれに導く光ファイバである。
【００２０】
［第３の無線通信装置］
また、本発明にかかる第３の無線通信装置は、それぞれ無線通信回線から信号を受信する複数の無線信号受信手段と、それぞれ前記受信された信号を処理する複数の受信信号処理手段と、それぞれ送信しようとする信号を処理する送信信号処理手段と、それぞれ無線通信回線に対して前記処理された信号を送信する複数の無線信号送信手段と、前記複数の無線信号受信手段それぞれから、前記複数の受信信号処理手段それぞれに対して、前記受信された信号を光学的に伝送し、前記複数の送信信号処理手段それぞれから、前記複数の無線信号送信手段それぞれに対して、前記処理された信号を光学的に伝送する光学伝送手段とを有する。
【００２１】
好適には、前記複数の無線信号受信手段それぞれは、前記受信された信号を、１つ以上の光学的な信号に変換する１つ以上の第１の信号変換手段を有し、前記複数の送信信号処理手段それぞれは、前記処理された信号を、１つ以上の光学的な信号に変換する第３の信号変換手段を有し、前記光学伝送手段は、それぞれ、前記複数の無線信号受信手段と、前記複数の受信信号処理手段と、前記複数の送信信号処理手段と、前記複数の無線信号送信手段とをバス結合し、前記複数の無線信号受信手段それぞれから、前記複数の受信信号処理手段それぞれに対して前記１つ以上の光学的な信号それぞれを導き、前記複数の送信信号処理手段それぞれから、前記複数の無線信号送信信号それぞれに対して、前記１つ以上の光学的な信号それぞれを導く１つ以上の光バスと、それぞれ、前記複数の無線信号受信手段それぞれから、前記１つ以上の光学的な信号それぞれを前記１つ以上の光バスそれぞれに導く１つ以上の第１の導光手段と、それぞれ、前記複数の送信信号処理手段それぞれから、前記１つ以上の光学的な信号を前記１つ以上の光バスそれぞれに導く１つ以上の第３の導光手段と、それぞれ、前記１つ以上の光バスそれぞれから、前記複数の受信信号処理手段それぞれに対して、前記１つ以上の光学的な信号を導く１つ以上の第２の導光手段とそれぞれ、前記１つ以上の光バスそれぞれから、前記複数の無線信号送信手段それぞれに対して、前記１つ以上の光学的な信号を導く１つ以上の第４の導光手段とを有し、前記複数の受信信号処理手段それぞれは、前記１つ以上の光学的な信号を、前記受信された信号に変換する第２の信号変換手段を有し、前記複数の無線信号送信手段それぞれは、前記１つ以上の光学的な信号を、前記処理された信号に変換する第４の信号変換手段を有する。
【００２２】
好適には、前記複数の受信信号処理手段それぞれと、前記複数の送信信号処理手段それぞれとは一体に構成され、前記１つ以上の第１の導光手段それぞれと前記１つ以上の第３の導光手段それぞれとは一体に構成され、前記１つ以上の光バスそれぞれにより導かれた前記１つ以上の光学的な信号それぞれを前記受信信号処理手段に導き、前記送信信号処理手段からの前記１つ以上の光学的な信号それぞれを前記１つ以上の光バスそれぞれに導く。
【００２３】
好適には、前記光バスは、１つ以上の第１の導光手段および１つ以上の第３の導光手段それぞれからの光学的な信号それぞれを拡散して、１つ以上の第２の導光手段および１つ以上の第４の導光手段それぞれに導く光学信号拡散手段を有する。
【００２４】
好適には、前記複数の無線信号受信処理手段それぞれと、前記複数の無線信号送信手段それぞれとは一体に構成され、前記１つ以上の第２の導光手段それぞれと前記１つ以上の第４の導光手段それぞれとは一体に構成され、前記無線信号受信信号それぞれからの１つ以上の光学的信号それぞれを前記１つ以上の光バスそれぞれに導き、前記１つ以上の光バスそれぞれにより導かれた前記１つ以上の光学的な信号それぞれを前記無線信号送信手段に導く。
【００２５】
［信号処理装置］
また、本発明にかかる信号処理装置は、信号を処理する複数の第１の信号処理手段と、信号を処理する複数の第２の信号処理手段と、前記複数の第１の装置それぞれと前記複数の第２の装置それぞれとの間で信号をノンブロックで光学的に伝送する光学伝送手段とを有する。
【００２６】
【発明の実施の形態】
［第１実施形態］
以下、本発明の第１の実施形態を説明する。
図１は、本発明にかかる基地局２−１〜２−３が用いられる移動体通信システム１の構成を例示する図である。
なお、以下の各図においては、本発明の説明に直接的に関係ない構成部分は、適宜、省略されている。
図１に示すように、移動体通信システム１は、複数の基地局２がネットワーク１０を介して相互に接続された構成を採り、基地局２−１〜２−３は、複数の移動局１２−１〜１２−３との間で無線通信回線を介して通信を行う。
なお、以下、「基地局２−１〜２−３」など、複数、存在する構成要素のいずれかを特定せずに示す場合には単に「基地局２」などとも記す。
【００２７】
図２は、図１に示した基地局２の構成を示す図である。
図２に示すように、基地局２は、ネットワークインターフェース（ネットワークＩＦ）２０、信号処理部２２、光バス３０、送受信部４０、アンテナＩＦ５０およびアンテナ系５２から構成される。
基地局２は、これらの構成部分により、ネットワーク１０を介して他の基地局２から入力される送信データを処理し、処理した送信データを無線通信回線を介して移動局１２に対して送信する。
また、逆に、基地局２は、移動局１２から無線通信回線を介して受信した受信データを処理し、ネットワーク１０を介して他の基地局２に対して出力する
【００２８】
［ネットワークＩＦ２０］
ネットワークＩＦ２０は、例えば、ネットワーク１０から６６Ｍｂｐｓ・８ビット・パラレル形式の送信データを複数、受け、信号処理部２２の信号処理回路２４−１〜２４−８それぞれに分配する。
また、ネットワークＩＦ２０は、信号処理部２２の信号処理回路２４−１〜２４−８それぞれから、６６Ｍｂｐｓ・８ビット・パラレル形式の受信データを複数、受け、ネットワーク１０に対して出力する。
【００２９】
［信号処理部２２・信号処理回路２４］
図３は、図２に示した信号処理回路２４−１〜２４−８、光バス３０および送受信回路４２−１〜４２−８の接続関係を示す図である。
信号処理部２２は、図２および図３に示すように、例えば、それぞれ１枚の基板に収容されたｎ個の信号処理回路２４−１〜２４−ｎ（図２にはｎ＝８の場合を例示）から構成される。
図４は、図２および図３に示した信号処理回路２４の構成を示す図である。
図４に示すように、信号処理回路２４それぞれは、送信系２４０および受信系２６０から構成される。
送信系２４０は、符号化回路２４２、パラレル／シリアル変換回路（Ｐ／Ｓ変換回路）２４４および電気／光学信号変換回路（ＥＯ変換回路）２４６から構成される。
受信系２６０は、光学／電気信号変換回路（ＯＥ変換回路）２６２、シリアル／パラレル変換回路（Ｓ／Ｐ変換回路）２６４から構成される。
【００３０】
信号処理回路２４は、これらの構成部分により、図３および図４に示すように、ネットワークＩＦ２０（図２）から入力された６６Ｍｂｐｓ・８ビット・パラレル形式の送信データを符号化し、さらに６６０Ｍｂｐｓ・１ビット・シリアル形式に変換して、光バス３０に対して出力する。
また、信号処理回路２４は、光バス３０から入力された６６Ｍｂｐｓ・１ビット・シリアル形式の受信データを復号し、さらに６６Ｍｂｐｓ・８ビット・パラレル形式に変換して、ネットワークＩＦ２０に対して出力する。
【００３１】
［送信系２４０］
送信系２４０において、符号化回路２４２は、ネットワークＩＦ２０から入力される６６Ｍｂｐｓ・８ビット・パラレル形式の送信データを、例えば、"A DC-Balanced, Partitioned-Block, 8B/10B Transmission Code, A. X. Widmer et. al., IMB J.RES DEVELOP., Vol. 27, No. 5, September 1983"に開示された方法に従って、ＤＣバランスのための２つのビットを付加することにより符号化し、６６Ｍｂｐｓ・１０ビット・パラレル形式の送信データとしてＰ／Ｓ変換回路２４４に対して出力する。
Ｐ／Ｓ変換回路２４４は、送信系２４０から入力された６６Ｍｂｐｓ・１０ビット・パラレル形式の送信データを、６６０Ｍｂｐｓ・１ビット・シリアル形式の送信データに変換し、ＥＯ変換回路２４６に対して出力する。
【００３２】
ＥＯ変換回路２４６は、レーザーダイオードなどの電気／光学信号変換素子から構成され、Ｐ／Ｓ変換回路２４４から入力された６６０Ｍｂｐｓ・１ビット・シリアル形式の電気的な送信データを、光学的な送信信号に変換し、図３に示したように、光バス３０に対して出力する。
【００３３】
［受信系２６０］
受信系２６０において、ＯＥ変換回路２６２は、例えばフォトダイオードなどの光学／電気信号変換素子から構成され、光バス３０から入力される光学的な受信信号を、６６０Ｍｂｐｓ・１ビット・シリアル形式の電気的な受信データに変換し、Ｓ／Ｐ変換回路２６４に対して出力する。
【００３４】
Ｓ／Ｐ変換回路２６４は、ＯＥ変換回路２６２から、図３に示したように入力された６６０Ｍｂｐｓ・１ビット・シリアル形式の電気的な受信データを、６６Ｍｂｐｓ・１０ビット・パラレル形式の受信データに変換し、復号回路２６６に対して出力する。
【００３５】
ＯＥ変換回路２６２は、符号化回路２４２と逆の処理を行い、６６Ｍｂｐｓ・１０ビット・パラレル形式の受信データから、ＤＣバランスを取るために付加された２ビットを取り除き、６６Ｍｂｐｓ・８ビット・パラレル形式の受信データとし、ネットワークＩＦ２０に対して出力する。
【００３６】
［光バス３０］
図５は、図２などに示した信号処理部２２および送受信部４０が実装された光バス３０の正面図である。
図６は、図２などに示した信号処理部２２および送受信部４０が実装された光バス３０の背面図である。
図５および図６に示すように、光バス３０は、実際には基地局２の筐体においてバックパネル（図示せず）の中に配設され、バックパネルには、信号処理部２２（信号処理回路２４）および送受信部４０（送受信回路４２）が、光バスとの間で、光学的信号を入力および出力することができるように配設される。
【００３７】
図７は、反射部３０４により導光路３００に導かれ、拡散反射板３０２により反射・拡散されて伝送される光信号を示す図である。
図８は、図２などに示した光バス３０の断面図である。
図９は、図７に示した光バス３０の反射部３０４により反射されて導光路３００内に導かれる光学信号を示す図である。
光バス３０は、図６〜図９に示すように、導光路３００、拡散反射板３０２および反射部３０４から構成される。
【００３８】
導光路３００は、図６および図７に示すように、ポリメチルメタクリレート（ＰＭＭＡ）などが階段状に形成されて構成される。
図７に示すように、導光路３００の階段状の部分には、信号処理回路２４および送受信回路４２の基板それぞれに対応し、これらとの間で光学的信号を入力および出力することが可能な位置に設けられた反射部３０４−１〜３０４−１６が設けられる。
図８に示す反射部３０４は、導光路３００の階段状の部分それぞれに、図９に矢印を付して示すように、信号処理部２２（信号処理回路２４；図２）および送受信部４０（送受信回路４２）の基板それぞれから、導光路３００の垂直方向に入射した光学信号が、導光路３００の水平方向に反射され、拡散反射板３０２の方向に導かれるような角度（例えば４５°）を付すことにより形成される。
【００３９】
図７および図８に示すように、導光路３００の反射部３０４に対向する辺には、反射部３０４から導かれた光学信号を、図７に示すように拡散し、反射する拡散反射板３０２が設けられる。
拡散反射板３０２は、信号処理回路２４（送受信回路４２）のＥＯ変換回路２４６それぞれに対向する反射部３０４から入射し、図７に矢印を付したように導光路３００を導かれた光学信号を、図７に斜線を付して示すように拡散および反射する。
拡散反射板３０２により拡散・反射された光学信号は、図９に示した矢印と反対の経路をたどり、送受信回路４２（信号処理回路２４）のＯＥ変換回路２６２に導かれる。
なお、光バス３０による光学信号の伝送には、例えば、波長多重および強度多重といった、光学信号の多重伝送技術の応用が可能である。
また、装置の構成によっては、拡散反射板３０２のように光学信号を反射させて拡散するのではなく、光学信号を透過させて拡散する拡散透過膜が用いられる場合がある。
【００４０】
光バス３０は、以上説明した構成により、信号処理回路２４−１〜２４−８および送受信回路４２−１〜４２−８を光学的にバス接続し、信号処理回路２４−１〜２４−８それぞれが光バス３０に対して出力した光学的な送信信号（送信データ）を、ノンブロックで送受信回路４２−１〜４２−８の全てに対して伝送する。
また、光バス３０は、反対に、送受信回路４２−１〜４２−８それぞれが光バス３０に対して出力した受信信号（受信データ）を、ノンブロックに信号処理回路２４−１〜２４−８の全てに対して伝送する。
【００４１】
［送受信部４０・送受信回路４２］
図１０は、図２および図３に示した送受信回路４２の構成を示す図である。
なお、図１０においては、図４に示した信号処理回路２４と同じ構成部分には同じ符号を付してある。
送受信部４０は、図２および図３に示すように、例えば、それぞれ１枚の基板に収容されたｎ個の送受信回路４２−１〜４２−ｎ（図２にはｎ＝８の場合を例示）から構成される。
【００４２】
図１０に示すように、送受信回路４２は、送信系４２０および受信系４４０から構成される。
送信系４２０は、ＯＥ変換回路２６２、変調回路４２２および送信装置４２４から構成される。
受信系４４０は、受信装置４４２、復調装置４４４およびＥＯ変換回路２４６から構成される。
【００４３】
送受信回路４２は、これらの構成部分により、図３および図４に示すように、光バス３０（図２）から６６０Ｍｂｐｓ・１ビット・シリアル形式の送信データを受け、受けた送信データで搬送波信号を変調し、基地局２と移動局１２（図１）との間の無線通信回線に適合した無線送信信号を生成してアンテナＩＦ５０に対して出力する。
また、信号処理回路２４は、アンテナＩＦ５０から無線受信信号を受け、受けた無線受信信号から６６０Ｍｂｐｓ・１ビット・シリアル形式の受信データを復調し、復調した受信データを光バス３０に対して出力する。
【００４４】
［送信系４２０］
送信系４２０において、ＯＥ変換回路２６２は、光バス３０から入力された光学的な送信信号を電気的な信号に変換し、６６０Ｍｂｐｓ・１ビット・シリアル形式の送信データとして、変調回路４２２に対して出力する。
【００４５】
変調回路４２２は、送信系４２０から入力される送信データで搬送波信号を変調して変調信号を生成し、送信装置４２４に対して出力する。
【００４６】
送信装置４２４は、変調回路４２２から入力される変調信号に対して増幅・周波数変調などを行い、基地局２と移動局１２（図１）との間の無線通信回線に適合した無線送信信号を生成し、アンテナＩＦ５０に対して出力する。
【００４７】
［受信系４４０］
受信系４４０において、受信装置４４２は、アンテナＩＦ５０から入力される無線受信信号に対して増幅・周波数変換などを行い、復調装置４４４に適合する変調信号を生成する。
【００４８】
復調装置４４４は、受信装置４４２から入力された変調信号を復調し、６６０Ｍｂｐｓ・１ビット・シリアル形式の受信データとしてＥＯ変換回路２４６に対して出力する。
【００４９】
ＥＯ変換回路２４６は、復調装置４４４から入力された電気的な受信データを光学的な受信信号に変換し、光バス３０に対して出力する。
【００５０】
［アンテナ系５２］
アンテナ系５２は、複数のアンテナ（図２においては１本のみ図示）を含み、移動局１２との間で無線送信信号および無線受信信号を伝送する。
【００５１】
［アンテナＩＦ５０］
アンテナＩＦ５０は、アンテナ系５２に含まれる複数のアンテナから入力される無線受信信号を、送受信部４０の送受信回路４２それぞれに分配する。
また、アンテナＩＦ５０は、信号処理部２２の信号処理回路２４それぞれから入力される無線送信信号を、アンテナ系５２の複数のアンテナそれぞれに分配する。
【００５２】
［基地局２の動作（送信動作）］
以下、基地局２の全体的な動作を説明する。
まず、基地局２の送信動作を説明する。
ネットワークＩＦ２０（図２）は、ネットワーク１０から送信データを受け、信号処理部２２の信号処理回路２４−１〜２４−８それぞれに分配する。
信号処理回路２４の送信系２４０（図４）は、ネットワークＩＦ２０から入力された送信データを符号化し、光学的な送信信号として光バス３０の反射部３０４に対して出力する。
【００５３】
光バス３０の反射部３０４（図７〜図９）は、信号処理回路２４（図２）それぞれ垂直方向に入射した光学的な送信信号を、導光路３００の水平方向に反射し、拡散反射板３０２の方向に導く。
拡散反射板３０２（図７〜９）は、導光路３００により導かれた送信信号を、図７に斜線を付して示したように拡散および反射する。
導光路３００は、拡散反射板３０２により拡散・反射された送信信号を、送受信回路４２に導く。
【００５４】
送受信回路４２は、光バス３０により導かれた光学的な送信信号を電気的な送信データに変換し、この送信データで搬送波信号を変調し、基地局２と移動局１２（図１）との間の無線通信回線に適合した無線送信信号を生成してアンテナＩＦ５０に対して出力する。
アンテナＩＦ５０は、信号処理回路２４それぞれから入力される無線送信信号を、アンテナ系５２の複数のアンテナそれぞれに分配し、アンテナ系５２のアンテナは、分配された無線送信信号を、無線通信回線を介して移動局１２に対して伝送する。
【００５５】
［受信動作］
次に、基地局２の受信動作を説明する。
移動局１２は、基地局２に対して無線受信信号を無線通信回線を介して伝送する。
アンテナ系５２のアンテナは、移動局１２（図１）からの無線受信信号を受け、アンテナＩＦ５０に対して出力する。
アンテナＩＦ５０は、アンテナ系５２からの無線受信信号を、送受信回路４２−１〜４２−８それぞれに分配する。
【００５６】
送受信回路４２の受信系４４０（図１０）は、アンテナＩＦ５０から入力された無線受信信号を復調して電気的な受信データとし、この受信データを光学的な受信信号に変換して光バス３０に対して出力する。
光バス３０は、送受信回路４２からの光学的な受信信号を、送受信回路４２に伝送する。
【００５７】
送受信回路４２は、光バス３０から入力された光学的な受信信号を、電気的な受信データに変換し、復号してネットワークＩＦ２０に対して出力する。
ネットワークＩＦ２０（図３）は、送受信回路４２から入力された受信データを、ネットワーク１０（図１）を介して他の基地局２に対して送信する。
【００５８】
［基地局２の効果］
図１１は、４台の信号処理回路それぞれと４台の送受信回路それぞれとを、光バスを用いずに、ポイント・ツー・ポイントで接続した場合の構成を例示する図である。
図１１に例示するように、信号処理回路それぞれと送受信回路それぞれとを、ノンブロックに接続するために、各信号処理回路と各送受信回路との間に２本ずつメタリック・ケーブルあるいは光ケーブルを引くと、配線量が非常に多くなる。
【００５９】
また、図示の簡略化のために省略したが、図１１に示した信号処理回路および送受信回路それぞれには、ＯＥ変換回路およびＥＯ変換回路がそれぞれ４個ずつ必要である。
これに比べ、本発明にかかるように、各信号処理回路２４および各送受信回路４２を光バス３０によりバス接続すると、図４に示したように、配線量、ＥＯ変換回路およびＯＥ変換回路を大きく減ずることができる。
【００６０】
図１２は、信号処理回路２４と送受信回路４２とを、バックパネル上の配線により接続する様子を例示する図である。
また、図１２に例示するように、信号処理回路と送受信回路との間をバックパネル上の配線を介して接続すると、バックパネル上の配線が非常に複雑になり、しかも、バックパネルを非常に多層にする必要がある。
これに比べ、図５および図６に示したように、光バス３０を用いると、信号処理回路２４および送受信回路４２の間の配線を簡単にすることができ、しかも、バックパネルの層を少なくすることができる。
【００６１】
［第１変形例］
図１３および図１４は、図２に示した基地局２の第１の変形例を示す第１および第２の図である。
図１３および図１４に示すように、図７に示した光バス３０のように、階段状の導光路３００の代わりに、バックパネル５４に長方形の導光路５６を配設し、導光路５６と信号処理部２２（信号処理回路２４）および送受信部４０（送受信回路４２）との間を光ファイバ５８−１〜５８−１６で接続しても、図２に示した基地局２と同様な効果を得ることができる。
【００６２】
この際、信号処理回路２４および送受信回路４２のＥＯ変換回路２４６（図４，図１０）の基板それぞれから信号を導光路５６に導く光ファイバ５８と、導光路５６との間に、光学信号を拡散する透過性の光拡散フィルム（図示せず）を設けると、光ファイバ５８から入射した光学信号を広く拡散し、能率よく他の基板に伝送することができる。
【００６３】
図１５および図１６は、図１３および図１４に示した基地局２を、導光路５６を用いずに構成した様子を示す第１および第２の図である。
図１３および図１４に示した基地局を、図１３および図１４に示すように、導光路５２を用いずに構成すると、図１４に示すように、送受信回路それぞれから信号処理回路の全てに対して光ファイバを引く必要が生じる。
従って、図１３および図１４に示した場合に比べ、図１５および図１６に示したように基地局２を構成すると、配線の量が非常に多くなり、しかも、図１１に示した場合と同様に、信号処理回路および送受信回路の各基板に備えるべきＯＥ変換回路およびＥＯ変換回路の数が多くなる。
【００６４】
［第２変形例］
図１７は、図２に示した基地局２の第２の変形例を示す図である。
図７〜図９には、ＥＯ変換回路２４６とＯＥ変換回路２６２（図４，図１０）とで１つの反射部３０４を共用する場合を例示したが、図１７に示すように、ＥＯ変換回路２４６およびＯＥ変換回路２６２それぞれに対して１つずつ反射部３０４を設けるように光バス３０を構成してもよい。
このように光バス３０を構成すると、同じ基板に設けられたＥＯ変換回路２４６からＯＥ変換回路２６２への光学信号の回り込みを大きく減少させることができ、光バス３０の伝送性能を向上させることができる。
【００６５】
［第３変形例］
図１８は、図２に示した基地局２の第３の変形例を示す図である。
図１８に示すように、信号処理部２２（信号処理回路２４）および送受信部４０（送受信回路４２）を、複数の光学信号をパラレルに伝送することができる信号処理部６０および送受信部６２に置換し、信号処理部６０および送受信部６２が伝送する信号の数に対応する数の光バス３０−１〜３０−１６を用いると、基地局２において、複数の光学信号をパラレルに伝送することができる。
このように基地局２を構成すると、信号処理回路と送受信回路との間のデータ伝送速度を上げることができる。
【００６６】
［第４変形例］
図１９は、図２に示した基地局２の第４の変形例を示す図である。
図１９に示すように、信号処理部２２（信号処理回路２４）および送受信部４０（送受信回路４２）を、図１８においてと同様に、複数の光学信号をパラレルに伝送することができる信号処理部６０および送受信部６２に置換し、信号処理部６０および送受信部６２が伝送する信号の数に対応する数の長方形の導光路５６−１〜５６−８を用い、これらの間を光ファイバ６４−１〜６４−２５６（２５６＝信号処理回路および送受信回路の数（１６）×パラレル信号数（８）×２）を接続すると、基地局２において、複数の光学信号をパラレルに伝送することができる。
このように基地局２を構成すると、図１８に示した場合と同様に、信号処理回路と送受信回路との間のデータ伝送速度を上げることができる。
【００６７】
【発明の効果】
以上説明したように、本発明にかかる無線通信装置によれば、移動体通信システムの基地局において、信号処理を行う装置と無線信号の送信・受信を行う装置との間の配線の数を少なくすることができる。
また、本発明にかかる無線通信装置によれば、動体通信システムの基地局において、信号処理装置と無線送信・受信装置との間を接続するバックパネルの配線の数と厚さを減らすことができる。
また、本発明にかかる無線通信装置によれば、動体通信システムの基地局において、信号処理装置および無線信号送信・受信装置をバックパネルに固定するコネクタのピンネックを解消し、基板の挿抜に要する力を減らすことができる。
【図面の簡単な説明】
【図１】本発明にかかる基地局が用いられる移動体通信システムの構成を例示する図である。
【図２】図１に示した基地局の構成を示す図である。
【図３】図２に示した信号処理回路、光バスおよび送受信回路の接続関係を示す図である。
【図４】図２および図３に示した信号処理回路の構成を示す図である。
【図５】図２などに示した信号処理部および送受信部が実装された光バスの正面図である。
【図６】図２などに示した信号処理部および送受信部が実装された光バスの背面図である。
【図７】反射部により導光路に導かれ、拡散反射板により反射・拡散されて伝送される光信号を示す図である。
【図８】図２などに示した光バスの断面図である。
【図９】図７に示した光バスの反射部により反射されて導光路内に導かれる光学信号を示す図である。
【図１０】図２および図３に示した送受信回路の構成を示す図である。
【図１１】４台の信号処理回路それぞれと４台の送受信回路それぞれとを、光バスを用いずに、ポイント・ツー・ポイントで接続した場合の構成を例示する図である。
【図１２】信号処理回路と送受信回路とを、バックパネル上の配線により接続する様子を例示する図である。
【図１３】図２に示した基地局の第１の変形例を示す第１の図である。
【図１４】図２に示した基地局の第１の変形例を示す第２の図である。
【図１５】図１３および図１４に示した基地局を、導光路を用いずに構成した様子を示す第１の図である。
【図１６】図１３および図１４に示した基地局を、導光路を用いずに構成した様子を示す第２の図である。
【図１７】図２に示した基地局の第２の変形例を示す図である。
【図１８】図２に示した基地局の第３の変形例を示す図である。
【図１９】図２に示した基地局の第４の変形例を示す図である。
【符号の説明】
１・・・移動体通信システム
１０・・・ネットワーク
１２・・・移動局
２，２−１〜２−３・・・基地局
２０・・・ネットワークＩＦ
２２，６０・・・信号処理部
２４，２４−１〜２４−８・・・信号処理回路（ＣＨ＃１〜＃８）
２４０・・・送信系
２４２・・・符号化回路
２４４・・・Ｐ／Ｓ変換回路
２４６・・・ＥＯ変換回路
２６０・・・受信系
２６２・・・ＯＥ変換回路
２６４・・・Ｓ／Ｐ変換回路
２６６・・・復号回路
３０，３０−１〜３０−１６・・・光バス
３００，５６・・・導光路
５８−１〜５８−１６・・・光ファイバ
３０２・・・拡散反射板
３０４・・・反射部
４０，６２・・・送受信部
４２，４２−１〜４２−８・・・送受信回路（ＴＲＸ＃１〜＃８）
４２０・・・送信系
４２２・・・変調回路
４２４・・・送信装置
４４０・・・受信系
４４２・・・受信装置
４４４・・・復調装置
５０・・・アンテナＩＦ
５２・・・アンテナ系
【図１】
0003835595.tif 000002
【図２】
0003835595.tif 000003
【図３】
0003835595.tif 000004
【図４】
0003835595.tif 000005
【図５】
0003835595.tif 000006
【図６】
0003835595.tif 000007
【図７】
0003835595.tif 000008
【図８】
0003835595.tif 000009
【図９】
0003835595.tif 000010
【図１０】
0003835595.tif 000011
【図１１】
0003835595.tif 000012
【図１２】
0003835595.tif 000013
【図１３】
0003835595.tif 000014
【図１４】
0003835595.tif 000015
【図１５】
0003835595.tif 000016
【図１６】
0003835595.tif 000017
【図１７】
0003835595.tif 000018
【図１８】
0003835595.tif 000019
【図１９】
0003835595.tif 000020